(57)【要約】【課題】  複数の外装部材で筐体の外郭を形成し、その間に中間部材を設けた外装構造では、分解性が著しく悪く、筐体を可逆的に分解したり中間部材を取り外すことが極めて困難である。【解決手段】  二つ以上のカバーで筐体の外郭を形成し、第一カバーと第二カバーとの間に中間部材を設けた携帯外装構造において、前記中間部材と前記第二カバーの内側面にもぐりこんで当接する第一当接面を前記第一カバーに設け、前記第一当接面の両側面に隣接する位置に、前記第一カバーと前記第二カバーの内側面にもぐりこんで当接する二つの中間部材当接面を前記中間部材に設けた。【選択図】  図２
2008193229.tif 000002
【特許請求の範囲】
【請求項１】
二つ以上のカバーで筐体の外郭を形成し、第一カバー（１）と第二カバー（２）との間に中間部材（１２）を設けた外装構造において、前記中間部材（１２）と前記第二カバー（２）の内側面にもぐりこんで当接する第一当接面（１４）を前記第一カバー（１）に設け、前記第一当接面（１４）の両側面に隣接する位置に、前記第一カバー（１）と前記第二カバー（２）の内側面にもぐりこんで当接する二つの中間部材当接面（１５，１６）を前記中間部材（１２）に設けたことを特徴とする外装構造。
【請求項２】
前記二つの中間部材当接面（１５，１６）の前記第一当接面（１４）に隣接する側面を、外観側から内部側へ向かうにつれて前記第一当接面（１４）へ接近する様に傾斜させて構成し、前記第一当接面（１４）の前記２つの中間部材当接面（１５，１６）と隣接する両側面を、前記傾斜と並行に傾斜させて構成し、前記中間部材（１２）は前記第一当接面（１４）の先端面側から挿入して前記第一カバー（１２）に事前に装着することにより、前記２つの中間部材（１２）の前記側面と、前記第一当接面（１４）の前記両側面の前記傾斜同士が相対して事前に装着した状態を維持することを特徴とする請求項１に記載の外装構造。
【請求項３】
前記装着した状態において、前記２つの中間部材（１２）の前記側面と、前記第一当接面（１４）の前記両側面の前記傾斜同士が圧接する様に構成したことを特徴とする請求項１または２に記載の外装構造。
【請求項４】
前記装着した状態において、前記２つの中間部材（１２）の前記側面と、前記第一当接面（１４）の前記両側面の前記傾斜同士の間に隙間を有する様に構成したことを特徴とする請求項１または２に記載の外装構造。
【請求項５】
前記第一当接面（１４）の外観側は、前記中間部材（１２）が接する範囲を、前記第二カバー（２）が接する範囲より凹ませたことを特徴とする請求項１ないし４のいずれかに記載の外装構造。
【請求項６】
前記中間部材（１２）に、前記筐体の外観側と内部側を通じる穴部（１８）を設けると共に、前記筐体内部に発光部を設け、前記発光部による発光を、前記穴部（１８）を通じて外部へ透過する様に構成したことを特徴とする請求項１ないし５のいずれかに記載の外装構造。
【請求項７】
前記穴部（１８）に光透過性をもつ窓部材（１９）を設けたことを特徴とする請求項６に記載の外装構造。
【請求項８】
前記窓部材（１９）は光拡散性を有することを特徴とする請求項７に記載の外装構造。
【請求項９】
前記窓部材（１９）は、前記第一カバー（１）に設けた窓部材保持部（２２）に挿入されるベース部（２１）と、前記中間部材（１２）の前記穴部（１８）に挿入される光透過部（２０）を有し、先ず前記光透過部（２０）を前記中間部材（１２）の前記穴部（１８）に挿入した状態で、前記中間部材（１２）を前記第一当接面（１４）の先端面側から挿入して前記第一カバー（１）に前記事前装着することにより、前記ベース部（２１）が前記窓部材保持部（２２）に挿入されて、前記事前装着した状態を維持することを特徴とする請求項７または８に記載の外装構造。
【発明の詳細な説明】
【技術分野】
【０００１】
本発明は、電子携帯機器などの外装構造を容易に結合及び分解可能にするための改善に関するものである。
【背景技術】
【０００２】
複数からなる外郭材にて筐体構造を形成した携帯機器においては、その境界すなわち「継ぎ目」に起因する筐体としての欠損を補うべく、境界域に中間部材を設ける様々な工夫が従来より成されている。例えば、図８の様に上カバー０１と下カバー０２にそれぞれ溝部０３をあらかじめ配し、これらを結合した後に、裏面に粘着性を有するテープ０４を貼り付ける。このような構成によって、カバー境界に別途部材を配する技術が既に提案されている（特許文献１及び特許文献２参照）。
【０００３】
これは上カバー０１と下カバー０２の締結後にその境界域を粘着材で密閉する事で、防塵性や防水性をもたらす事が可能である。もしくは、図９の如くスポット溶接によって中間カバー０５と後カバー０６を事前結合した後に前カバーと締結させる構成も、概に実用に供されている。これは単に前後カバーをつき合わせただけの単調な外観構造に対して各カバーの配色や質感により趣向を凝らし、デザイン性を向上させるといった効果が期待できる。
【特許文献１】特開平６−２６５９９３号公報
【特許文献２】特開平７−２８１５７号公報
【発明の開示】
【発明が解決しようとする課題】
【０００４】
この様に、従来、複数の外装部材で筐体の外郭を形成し、その間に中間部材を設けた携帯電子外装構造というものは存在したが、その中間部材を他の外装部材に結合する方法に関しては、粘着物を使用したり或いは溶接を行う等の手段が多く用いられていた。
【０００５】
ところで、これらの携帯機器はその製造工程における不良の発生或いはユーザーの使用トラブル等により、カバーの結合後に分解修理したり中間部材を交換し、かつ、その後に筐体構造を再生する必要を生じる場合がある。しかし前述の方法によって結合した中間部材は分解性が著しく悪く、筐体を可逆的に分解したり中間部材を取り外すことが極めて困難である。また、溶接等の特殊な加工装置を必要とする手法には、結合のための時間や費用が極めて多大であるという問題も有していた。従って、より簡便な方法で中間部材と他の外装部材との結合を行うことが出来、且つ、分解性・可逆性がよい筐体構造の必要性が日増しに高まっていた。
【課題を解決するための手段】
【０００６】
上記目的を達成するため、本発明は、二つ以上のカバーで筐体の外郭を形成し、第一カバーと第二カバーとの間に中間部材を設けた携帯外装構造において、前記中間部材と前記第二カバーの内側面にもぐりこんで当接する第一当接面を前記第一カバーに設け、前記第一当接面の両側面に隣接する位置に、前記第一カバーと前記第二カバーの内側面にもぐりこんで当接する二つの中間部材当接面を前記中間部材に設けたことを特徴とする。
【発明の効果】
【０００７】
本発明によれば、中間部材は、第一カバーに事前装着され、その後に前記第一カバーに前記事前装着された状態で前記第二カバーと結合することが出来る。
【発明を実施するための最良の形態】
【０００８】
（第１の実施形態）
以下、本発明の実施形態であるデジタルカメラを説明する。
【０００９】
まず、本実施形態であるデジタルカメラの外装構造について説明する。
【００１０】
図１はデジタルカメラの外観図である。デジタルカメラは後カバー１および前カバー２によって筐体の主要部を構成している。図１において、３は撮像動作を指示するレリーズボタンである。４はズーム操作を行うズームレバーである。５は各種モードを設定するモードダイヤルである。６は撮影レンズである。７は各種操作を行う操作ボタンである。８は光学ファインダーである。９は撮影画像等種々の情報を表示するディスプレーである。１０は電池やメモリの収納部を覆うアクセサリーカバーである。そして、１１は外部機器と通信する端子を覆う端子カバーである。
【００１１】
次に、デジタルカメラの後カバー１、前カバー２及び中間部材１２の構造について説明する。中間部材１２は、デジタルカメラが近年小型軽量化すると同時にそのデザイン性も進化させるべく設けた装飾部材である。この中間部材１２はあらかじめ後カバー１に結合し、その状態で、前カバー２と共にデジタルカメラの内部機構３２をはさんで結合させる構造になっている。また１３はビスで、後カバー１と前カバー２を結合した後に、ビス締めしてカバーを固定させるものである。
【００１２】
この中間部材１２を後カバー１に結合する構造を、図２、図４及び図５を用いて説明する。後カバー１には中間部材１２と前カバー２の内側面にもぐり込んで当接する第一当接面１４が設けてある。第一当接面１４は図６に示すように、一律に断面形状（Ａ）をもって後カバー１から前カバー２の方向へ突出している。また中間部材１２にも、第一当接面１４の両側に隣接する位置に、後カバー１と前カバー２の内側面にもぐり込んで当接する２つの中間部材当接面１５および１６が設けてある。この中間部材当接面１５および１６も、図６に示す断面形状（Ｂ）および（Ｃ）をもって後カバー１から前カバー２にかけて延びている。この２つの中間部材当接面１５および１６の第一当接面１４に隣接する側面１５ａおよび１６ａは、外観側から内部側へ向かうにつれて第一当接面１４へ接近する様に傾斜角αおよびβが設けられている。傾斜角αおよびβに対向する第一当接面１４の２つの側面１４ａおよび１４ｂにも、傾斜角αおよびβと並行になる様、傾斜角γおよびδが設けられている。
【００１３】
そして、中間部材１２を後カバー１に結合した状態においては、図６の様に側面１５ａと１４ａ、および側面１６ａと１４ｂとが密着し、適切な接触圧をもって圧接する様に寸法が設定されている。
【００１４】
また、図４に示す様に、第一当接面１４の外観側には、前カバー２が接する範囲に凸面１７が設けてある。なお、それに対応して、前カバー２の内側面は凹み状態に構成し、互いに干渉しない様になっている。
【００１５】
次に、中間部材１２に設けた穴部１８について図３を用いて説明する。これは、筐体内部に設けた図示しない発光部による発光を、外部へ透過するためのものであり、デジタルカメラの作動状態を発光表示できるようになっている。その穴部１８にはそこから塵芥等が進入しない様に、透明樹脂で出来た窓部材１９が嵌め込まれている。またこの窓部材は光拡散性を有する材料で作ってもよく、その場合視認性が向上するという効果が期待できる。窓部材１９は、光透過部２０が中間部材１２の穴部１８に挿入される様になっている。２１はベース部で、後カバー１の方向に向かって突出し、後カバー１に設けた窓部材保持部２２に挿入される様になっている。
【００１６】
最後に、第一当接面１４には穴部２４が設けられ、前カバー２の内側面に設けた爪部２５に引掛けて結合する様になっている。同じく、前カバー２には後カバー１へ向かって突出した第二当接面２６および第三当接面２７があり、そこに穴部２８および２９が設けられ、後カバー１の内側面に設けた爪部３０および３１に引掛けて結合する様になっている。
【００１７】
次に、この筐体構造を組み立ておよび分解する手順について説明する。
【００１８】
まず、本筐体構造の組み立てについて説明を行う。
【００１９】
初めに窓部材１９を中間部材１２の穴部１８に嵌め込んでおく。この状態で、中間部材当接面１５及び１６の側面１５ａ及び１６ａが、第一当接面１４の側面１４ａ及び１４ｂに沿う様にして、中間部材１２を第一当接面１４の先端から差込んで、後カバー１に取り付ける。すると、図６に示す様に、中間部材当接面１５および１６の第一当接面１４に隣接する側面１５ａ及び１６ａは外観側から内部側へ向かうにつれて第一当接面１４へ接近する様に傾斜角が設けられているので、中間部材１２は外観側へ浮き上がることはない。更に、図４に示す様に、第一当接面１４の外観側には前カバー２が接する範囲に凸面１７を設けているので、中間部材１２を第一当接面１４に差し込んで取り付ける際に、この凸面を乗り越える様に撓んで取り付けられる。このため、中間部材１２が後カバー１から外れ難くなっている。以上の構造により中間部材１２と後カバー１との結合は溶接や粘着剤等の結合手段を用いることなく維持される。
【００２０】
この様にして、中間部材１２を予め後カバー１に結合したら、次はデジタルカメラの内部機構３２を、この中間部材１２が事前装着された後カバー１と前カバー２とで挟む様に組み立てる。それには、先ず、後カバー１の第一当接面１４及び、中間部材１２の中間部材当接面１５及び１６を前カバー２の内側面にもぐり込ませる。それと同時に、前カバーの第二当接面２６及び第三当接面２７が後カバー１及び中間部材１２の内側面にもぐりこませることにより仮結合させる。その後、ビス１３をビス締めしてカバーを固定させる。この様に、本実施形態においては簡単な操作で、しかも溶接装置等特別な器具を使用することなく極めて容易に筐体構造の組み立てを行うことが出来る。
【００２１】
組み立て完了状態においては、第一当接面１４が中間部材１２の内側面に当接しており、かつ中間部材当接面が後カバー１及び前カバー２の内側面に当接しているので、中間部材は粘着剤や溶接等の手段を用いることなく後カバーと前カバーの間に固定される。
【００２２】
続いて、本筐体構造の分解について説明を行う。
【００２３】
始めに、ビス１３を緩め、それらを筐体から取り外す。次に、後カバー１と中間部材１２の結合を維持したまま、その結合体と前カバー２を分離する。そして、中間部材１２を後カバー１から引き抜くことにより、中間部材１２と後カバー１の結合を解除する。この様に、本実施例においては簡単な操作で、しかも特別な器具を使用することなく極めて容易に筐体構造の分解を行うことが出来る。
【００２４】
（第２の実施形態）
次に、第２の実施形態の説明を行う。
【００２５】
第２の実施形態は、図７に示す様に中間部材当接面１５及び１６と第一当接面１４の相対する面の間に隙間を有しており、それ以外に関しては実施例１と同じ構造である。この様な隙間を設けることにより、第一等接面１４と中間部材等接面１５及び１６以外によって中間部材の位置決めを行うことが出来るようになり、さらに組み立ての作業性が向上する。
【００２６】
なお、第２の実施形態の組み立て及び分解手順は第１の実施形態と同じである。
【００２７】
以上、図示実施形態に基づき本発明を説明したが、本発明はこの実施形態に限定されるものではない。例えば、実施形態はデジタルカメラへの適用例であるが、少なくとも小型携帯用電子機器ならばどの様なものにも本発明は適用が出来る。
【図面の簡単な説明】
【００２８】
【図１】本発明の実施形態であるデジタルカメラの外観図
【図２】本発明の実施形態であるデジタルカメラの分解図
【図３】中間部材及び窓部材を説明する図
【図４】後カバー上面拡大図
【図５】前カバー上面拡大図
【図６】第１の実施形態における第一当節面及び断面図
【図７】第２の実施形態における第一当節面及び断面図
【図８】従来例を説明する図
【図９】従来例の中間カバーと後カバーの図
【符号の説明】
【００２９】
０１  上カバー
０２  下カバー
０３  溝
０４  粘着テープ
０５  中カバー
０６  後カバー
１  後カバー
２  前カバー
３  レリーズボタン
４  ズームレバー
５  モードダイヤル
６  撮影レンズ
７  操作ボタン
８  光学ファインダー
９  ディスプレー
１０  アクセサリカバー
１１  端子カバー
１２  中間部材
１３  ビス
１４  第一当接面
１４ａ  第一当接面の中間部材に隣接する側面
１４ｂ  第一当接面の中間部材に隣接する側面
１５  中間部材当接面
１５ａ  中間部材の第一当接面に隣接する側面
１６  中間部材当接面
１６ａ  中間部材の第一当接面に隣接する側面  断面形状（Ａ）（Ｂ）（Ｃ）
１７  凸面
１８  中間部材穴部
１９  窓部材
２０  光透過部
２１  ベース部
２２  窓部材保持部
２４  第一当接面穴部
２５  前カバー爪部
２６  第二当接面
２７  第三当接面
２８  第二当接面穴部
２９  第三当接面穴部
３０  後カバー爪部
３１  後カバー爪部
３２  内部機構
【図１】
2008193229.tif 000003
【図２】
2008193229.tif 000004
【図３】
2008193229.tif 000005
【図４】
2008193229.tif 000006
【図５】
2008193229.tif 000007
【図６】
2008193229.tif 000008
【図７】
2008193229.tif 000009
【図８】
2008193229.tif 000010
【図９】
2008193229.tif 000011